(57)【特許請求の範囲】
【請求項１】
ダクト本体にダクトカバーを固定する留具と雄ねじ部材と雌ねじ部材とからなるダクト用固定装置であって、
前記留具が本体部とこの本体部の一端部から折り曲げられたフック部と前記本体部の他端部から前記フック部と同じ側に折り曲げられた支点部と前記本体部に設けられた貫通孔とを備えており、
前記ダクトカバーが前記ダクト本体に被せられ、前記留具のフック部が前記ダクトカバーの外部に乗せられた状態において、前記雄ねじ部材が前記留具の本体部の前記貫通孔を経由して前記雌ねじ部材に締め付けられることにより、前記留具の支点部が前記ダクト本体の側板材の外側面に接触し、前記外側面上の支点部を支点として前記本体部が前記雄ねじ部材に対し横方向に移動することにより、前記雄ねじ部材が前記貫通孔の支点部側縁に接触して前記留具の上方への移動を規制し、前記留具が支点部を中心として前記ダクト本体の側に傾き、前記留具の本体部が前記ダクト本体と前記ダクトカバーとから離れていると共に上方にせり上がることなく、前記フック部が前記ダクトカバーを前記ダクト本体に押し付ける
ことを特徴とするダクト用固定装置。
【請求項２】
ダクト本体にダクトカバーを固定する留具と雄ねじ部材と雌ねじ部材とからなるダクト用固定装置であって、
前記留具が本体部とこの本体部の一端部から折り曲げられたフック部と前記本体部の他端部からフック部と同じ側に折り曲げられた支点部と前記本体部に設けられた貫通孔とを備えており、
前記雌ねじ部材が前記ダクト本体の側板材に固定されており、
前記ダクトカバーが前記ダクト本体に被せられ、前記留具のフック部が前記ダクトカバーの外部に乗せられた状態において、前記雄ねじ部材が前記留具の本体部の貫通孔を経由して雌ねじ部材に締め付けられることにより、前記留具の支点部が前記ダクト本体の側板材の外側面に接触し、前記外側面上の支点部を支点として前記本体部が前記雄ねじ部材に対し横方向に移動することにより、前記雄ねじ部材が前記貫通孔の支点部側縁に接触して留具の上方への移動を規制し、前記留具が前記支点部を中心として前記ダクト本体の側に傾き、前記留具の本体部が前記ダクト本体と前記ダクトカバーとから離れていると共に上方にせり上がることなく、前記フック部が前記ダクトカバーを前記ダクト本体に押し付ける
ことを特徴とするダクト用固定装置。
【請求項３】
ダクト本体にダクトカバーを固定する留具と雄ねじ部材と雌ねじ部材とからなるダクト用固定装置であって、
前記留具が本体部とこの本体部の一端部から折り曲げられたフック部と前記本体部の他端部から前記フック部と同じ側に折り曲げられた支点部と前記本体部に設けられた貫通孔とを備えており、
前記雌ねじ部材が前記ダクト本体の側板材に固定されて前記側板材から前記ダクト本体の外側に突出しており、
前記ダクトカバーが前記ダクト本体に被せられ、前記留具のフック部が前記ダクトカバーの外部に乗せられた状態において、前記雄ねじ部材の雄ねじ部が前記留具の外部から前記本体部の貫通孔を経由して前記雌ねじ部材に締め付けられることにより、前記留具の支点部が前記ダクト本体の側板材の外側面に接触し、前記外側面上の支点部を支点として前記本体部が前記雄ねじ部材に対し横方向に移動することにより、前記雄ねじ部材が前記貫通孔の支点部側縁に接触して前記留具の上方への移動を規制し、前記留具が前記支点部を中心として前記ダクト本体の側に傾き、前記留具の本体部が前記ダクト本体と前記ダクトカバーとから離れていると共に、上方にせり上がることなく、前記フック部が前記ダクトカバーを前記ダクト本体に押し付ける
ことを特徴とするダクト用固定装置。
【請求項４】
ダクト本体にダクトカバーを固定する留具とボルトとナットとからなるダクト用固定装置であって、
前記留具が平板の中央部に位置する本体部とこの本体部の一端部から折り曲げられたフック部と前記本体部の他端部から前記フック部と同じ側に折り曲げられた支点部と前記本体部に設けられた貫通孔とを備えており、
前記ナットが前記ダクト本体の側板材に固定されて前記側板材から前記ダクト本体の外側に突出しており、
前記ダクトカバーが前記ダクト本体に被せられ、前記留具のフック部が前記ダクトカバーの外部に乗せられた状態において、前記ボルトの雄ねじ部が前記留具の外部から前記本体部の貫通孔を経由して前記ナットに締め付けられることにより、前記留具の支点部が前記ダクト本体の側板材の外側面に接触し、前記外側面上の支点部を支点として前記本体部が前記雄ねじ部材に対し横方向に移動することにより、前記ボルトの雄ねじ部が前記貫通孔の支点部側縁に接触して前記留具の上方への移動を規制し、前記留具が前記支点部を中心として前記ダクト本体の側に傾き、前記留具の本体部が前記ダクト本体と前記ダクトカバーとから離れていると共に、上方にせり上がることなく、前記フック部が前記ダクトカバーを前記ダクト本体に押し付ける
ことを特徴とするダクト用固定装置。
【発明の詳細な説明】
【技術分野】
【０００１】
本発明は、電話線、送電線、電線、光ファイバー、鋼索等の物品の収納に用いるダクト本体にダクトカバーを固定する留具とボルトとナットとからなるダクト用固定装置に関する。
【背景技術】
【０００２】
図７は、特許文献１で開示されたダクト用固定装置３１を示す。図７において、ダクト用固定装置３１は、留具３２とボルト３３とナット３４；３５とワッシャ３６；３７とを備える。留具３２は、板状の本体部３８と、本体部３８の一端部から折り曲げられたフック部３９と、本体部３８の他端部からフック部３９とは反対側に折り曲げられた折り返し部４０と、本体部３８の両側部からフック部３９と同じ側に折り曲げられた側壁部４１と、側壁部４１の下部に設けられた支点部４２と、本体部３８と折り返し部４０とに渡り一端部と他端部との方向に延びる縦長に形成された長孔４３とを備える。
【０００３】
そして、ダクト用固定装置３１によりダクト本体４６とダクトカバー４７とを固定するには、ボルト３３の雄ねじ部４４がダクト本体４６の内部からダクト本体４６の側板材４８に設けられた貫通孔４９に挿入され、ダクト本体４６の外部からワッシャ３６とナット３４とが雄ねじ部４４に装着され、ワッシャ３６と側板材４８とがボルト３３の頭部４５とナット３４とで締め付けられ、ボルト３３が側板材４８に固定される。その後、ダクトカバー４７がダクト本体４６に被せられ、留具３２の長孔４３がダクト本体４６の外部からボルト３３の雄ねじ部４４に嵌め込まれ、フック部３９がダクトカバー４７の上に乗せられた状態において、留具３２の外部からワッシャ３７とナット３５とがボルト３３の雄ねじ部４４に装着され、ナット３５が締め付けられると、留具３２の支点部４２がダクト本体４６の側板材４８に接触し、留具３２が支点部４２を中心としてダクト本体４６の側に傾き、留具３２の側壁部４１がダクトカバー４７のフランジ部５０をダクト本体４６の側板材４８に押し付けると共にフック部３９がダクトカバー４７をダクト本体４６に押し付ける。これにより、ダクト本体４６とダクトカバー４７とがダクト用固定装置３１で固定される。
【０００４】
しかしながら、上記特許文献１で開示されたダクト用固定装置３１を作成して実験を行なったところ、留具３２のボルト３３を通す孔が本体部３８と折り返し部４０とに渡り一端部と他端部との方向に延びる縦長に形成された長孔４３になっているので、ナット３５を締め付けた場合に、ダクトカバー４７に接触したフック部３９を中心として留具３２がせり上がり、留具３２でダクトカバー４７をダクト本体４６に押し付ける力が弱くなるという欠点があった。又、留具３２の側壁部４１がダクトカバー４７のフランジ部５０をダクト本体４６の側板材４８に押し付ける構造になっているので、ナット３５を締め付けた場合に、ダクト本体４６の側板材４８がボルト３３を中心として内部側に傾いてダクト本体４６とダクトカバー４７との間に隙間ができるという欠点あった。又、ボルト３３がダクト本体４６の内部から外部に向けて装着される構造になっているので、ボルト３３の雄ねじ部４４がナット３５より外部に出っ張るので、その出っ張った部分に人や物が引っかかりやすいという欠点がある。更に、留具３２が折り返し部４０と側壁部４１とを有するので、留具３２の構造が複雑であるという欠点があった。
【先行技術文献】
【特許文献】
【０００５】
【特許文献１】特許第４６４８３３７号公報
【発明の概要】
【発明が解決しようとする課題】
【０００６】
本発明は、上記背景技術に鑑みてなされたものであり、留具が簡単な構造でダクト本体とダクトカバーとを強く固定することを目的とする。
【課題を解決するための手段】
【０００７】
本発明は、ダダクト本体にダクトカバーを固定する留具と雄ねじ部材と雌ねじ部材とからなるダクト用固定装置であって、前記留具が本体部とこの本体部の一端部から折り曲げられたフック部と前記本体部の他端部から前記フック部と同じ側に折り曲げられた支点部と前記本体部に設けられた貫通孔とを備えており、前記ダクトカバーが前記ダクト本体に被せられ、前記留具のフック部が前記ダクトカバーの外部に乗せられた状態において、前記雄ねじ部材が前記留具の本体部の前記貫通孔を経由して前記雌ねじ部材に締め付けられることにより、前記留具の支点部が前記ダクト本体の側板材の外側面に接触し、前記外側面上の支点部を支点として前記本体部が前記雄ねじ部材に対し横方向に移動することにより、前記雄ねじ部材が前記貫通孔の支点部側縁に接触して前記留具の上方への移動を規制し、前記留具が支点部を中心として前記ダクト本体の側に傾き、前記留具の本体部が前記ダクト本体と前記ダクトカバーとから離れていると共に上方にせり上がることなく、前記フック部が前記ダクトカバーを前記ダクト本体に押し付けることを特徴とするダクト用固定装置である。
【発明の効果】
【０００８】
本発明は、留具が本体部とフック部と支点部と貫通孔とからなる簡単構造であり、ダクトカバーがダクト本体に被せられ、留具のフック部がダクトカバーの上に乗せられ、雄ねじ部材が留具の本体部の外部から留具の貫通孔を経由して雌ねじ部材に締め付けられると、支点部がダクトカバーの側板材に接触し、雄ねじ部材が留具の貫通孔の支点部側縁に接触して留具の上方への移動を規制し、留具の本体部がダクト本体部とダクトカバーとから離れていると共に、上方にせり上がることなく、留具のフック部がダクトカバーをダクト本体に押し付けることで、ダクト本体とダクトカバーとを強く固定することができるという効果がある。
【図面の簡単な説明】
【０００９】
【図１】実施の形態に係るダクトとダクト用固定装置とを示す分解斜視図。
【図２】実施の形態に係るダクト本体とダクトカバーとをダクト用固定装置で固定した状態を図１の矢印Ｓ方向から見た正面図。
【図３】実施の形態に係るダクト用固定装置の詳細な構造を示す図１のＡ−Ａ線断面図に相当する断面図。
【図４】実施の形態に係る留具とボルトとワッシャとをダクトのナットに嵌めた状態を示す図１のＡ−Ａ線断面図に相当する断面図。
【図５】実施の形態に係るボルトを手で締め付けた状態を示す図１のＡ−Ａ線断面図に相当する断面図。
【図６】実施の形態に係るボルトを工具で締め付けた状態を示す図１のＡ−Ａ線断面図に相当する断面図。
【図７】従来のダクト本体とダクトカバーとをダクト用固定装置で固定した状態を示す図１のＡ−Ａ線断面図に類似する断面図。
【発明を実施するための形態】
【００１０】
本明細書における「前」、「後」、「左」、「右」、「上」、「下」の方向は、図１の状態にダクト１５及びダクト用固定装置１を置いて矢印Ｓで示す前側から見た場合に特定される方向である。
【００１１】
図１を参照し、実施の形態に係るダクト用固定装置１について説明する。ダクト用固定装置１はダクト１５のダクト本体１６とダクトカバー１７とを固定する装置であり、留具２とナット３とワッシャ４とボルト５とを備えるが、ワッシャ４を使用しない場合もある。留具２とナット３とワッシャ４とボルト５とは金属製のものを用いれば耐久性及び強度の上から好ましいが、実施の形態では留具２がステンレス製であり、防錆性能を高めるようになっている一方、ナット３が雌ねじ部６を備えたアルミニウム製であり、ダクト１５のダクト本体１６とダクトカバー１７とを工場から現場に運搬する際にナット３による擦過傷がダクト本体１６やダクトカバー１７に付かないようになっている。又、ワッシャ４及びボルト５は市販品が用いられており、コストダウンが図られている。ワッシャ４は、中心部に貫通孔７を備える。ボルト５は、雄ねじ部８の一端部に雄ねじ部８より外径の大きな頭部９を有する有頭ボルトにより構成される。
【００１２】
留具２は、板状の本体部１０と、本体部１０の一端部から折り曲げられたフック部１１と、本体部１０の他端部からフック部１１と同じ側に折り曲げられた支点部１２と、本体部１０に設けられた貫通孔１３とを備えた、簡単な構造になっている。貫通孔１３は、ボルト５の雄ねじ部８が直線的に挿入可能で雄ねじ部８の外径に近い内径を有する大きさであり、例えば、ボルト５に対応して使用されるワッシャ４として市販されているワッシャ４に形成された貫通孔７と同じ大きさであれば最良である。
【００１３】
ダクト１５は、ダクト本体１６とダクトカバー１７とから構成される。ダクト本体１６は、金属製であり、工場において、対向する一対の側板材１８の間に複数本の支持材１９を架設した造形に形成される。一対の側板材１８には、側板材１８におけるダクトカバー１７の側に位置する開放側端部から一対の側板材１８の間の側に斜め上方に折り曲げられたフランジ部２０と、側板材１８の支持材１９の側に位置する内側端部から一対の側板材１８の間の側に直角に折り曲げられたフランジ部２１とを備える。又、一対の側板材１８には、ダクト用固定装置１のナット３が固定される。ダクトカバー１７は、金属製であり、工場において、切妻屋根のような造形に形成される。
【００１４】
具体的には、ダクトカバー１７は、一対の側板材１８の間における最頂部の稜線部２３から一対の側板材１８に向かって二つの傾斜面２４が本を伏せたような山形の形状になっているので、ダクトカバー１７の上に滴下した雨水や水が適切に排水される。ダクトカバー１７の左右側部から下方に折り曲げられたフランジ部２５を備える。ダクトカバー１７におけるフランジ部２５と傾斜面２４との内側における挟角θ１は、ダクト本体１６における側板材１８とフランジ部２０との内側における挟角θ２と等しい角度に構成される（θ１＝θ２）。ダクト本体１６は、上記構造に限定されるものではなく、対向する一対の側板材１８の間に底板材を架設した構造でもよい。又、ダクトカバー１７は、上記構造に限定されるものではなく、平屋根又は片流れ屋根のような構造でもよい。
【００１５】
実施の形態に係るダクト用固定装置１によりダクト本体１６とダクトカバー１７とを固定する場合について説明する。ダクトカバー１７がダクト本体１６に被せられ、ダクトカバー１７のフランジ部２５がダクト本体１６の外部から側板材１８の外側面に接触させられ、ダクトカバー１７の傾斜面２４がダクト本体１６の外部からフランジ部２０の上側面に接触させられ、留具２のフック部１１がダクトカバー１７の外部から上に乗せられた状態において、ボルト５の雄ねじ部８が留具２の外部に配置されたワッシャ４の貫通孔７から本体部１０の貫通孔１３を経由してナット３に締め付けられると、留具２の支点部１２がダクト本体１６の側板材１８に接触し、雄ねじ部８が貫通孔１３の下縁に接触して留具２の上方への移動を規制し、留具２が支点部１２を中心としてダクト本体１６の側に傾き、ダクト本体１６とダクトカバー１７とから離れていると共に、上方にせり上がることなく、フック部１１がダクトカバー１７をダクト本体１６に強く押し付ける。ボルト５が締め付けられることにより留具２の本体部１０がダクトカバー１７のフランジ部２５から離れていると共に上方にせり上がることのない構成については、図３乃至図６で詳述する。
【００１６】
図３を参照し、実施の形態に係るダクト用固定装置１の詳細な構造について説明する。側板材１８に取り付けられたナット３には、ポップリベット・ファスナー株式会社製のアルミニウム製のポップナット３(ＰＯＰＮＵＴ：登録商標）を使用し、側板材１８に形成された取付孔２６を利用してナット３の一端部がかしめられて側板材１８に固定される。ナット３の他端部が側板材１８から外部に突出した寸法Ｈは、留具２の支点部１２が本体部１０から突出する寸法よりも小さい。これにより、留具２のフック部１１がフランジ部２０の上側面に全面的に接触され、留具２の支点部１２が側板材１８の外側面に接触され、留具２の本体部１０が側板材１８と平行になるように、留具２を側板材１８の外部に配置した場合には、例えば０．５ｍｍ程度の隙間２８がナット３と本体部１０との間に形成される。
【００１７】
一方、留具２のフック部１１がフランジ部２０の上側面に全面的に接触され、留具２の支点部１２が側板材１８の外側面に接触され、留具２の本体部１０が側板材１８と平行になるように、留具２を側板材１８の外部に配置した場合には、本体部１０の貫通孔１３の中心Ｌ１がナット３の雌ねじ部６の中心Ｌ２より上方に位置がずれて配置されると共に、ボルト５の雄ねじ部８が貫通孔１３を直線的に経由して雌ねじ部６に装着可能になるように配置される。
【００１８】
図４乃至図６を参照し、実施の形態に係るダクト用固定装置１によりダクト本体１６とダクトカバー１７とを固定する場合について詳述する。先ず、図４に示すように、ダクトカバー１７がナット３の固定されたダクト本体１６に被せられ、ダクトカバー１７のフランジ部２５がダクト本体１６の外部から側板材１８の外側面に接触させられ、ダクトカバー１７の傾斜面２４がダクト本体１６の外部からフランジ部２０の上側面に接触させられ、ナット３が留具２のフック部１１と支点部１２との間に位置するように、留具２のフック部１１がダクトカバー１７の外部から上に乗せられた状態において、留具２のフック部１１の先端部がダクトカバー１７の傾斜面２４とフランジ部２５との境である角部２７の上に乗せられ、留具２の本体部１０がナット３に向き合わせられ、留具２の支点部１２が側板材１８の外側面に接触させられ、ボルト５の雄ねじ部８の先端部が留具２の外部に配置されたワッシャ４の貫通孔７から本体部１０の貫通孔１３を経由してナット３に装着される。
【００１９】
次に、図５に示すように、人が手でボルト５を締め付け、ナット３の雌ねじ部６に対する雄ねじ部８の進入量が増加するのに伴い、留具２がナット３の側に移動して、支点部１２がダクト本体１６の側板材１８に接触して、留具２が支点部１２を中心としてダクト本体１６の側に傾く一方、雄ねじ部８が貫通孔１３の支点部側面２９に接触して留具２の上方への移動を規制し、フック部１１の先端部がダクトカバー１７の傾斜面２４から僅かに離れて、フック部１１が傾斜面２４に被さり、本体部１０がダクトカバー１７のフランジ部２５とダクト本体１６とから離れていると共に上方にせり上がることなく、フック部１１がダクトカバー１７をダクト本体１６に押し付ける。一方、本体部１０がナット３の側板材１８から外部に突出した端面の支点部側縁３０ａで受け止められ、本体部１０が支点部１２の側からフック部１１の側に行くに従って側板材１８から徐々に離れた斜めの状態になる。
【００２０】
その後、図６に示すように、雄ねじ部８が貫通孔１３の支点部側面２９に接触して留具２の上方への移動を規制したまま、人がレンチのような工具でボルト５を締め付けることにより、ナット３の雌ねじ部６に対する雄ねじ部８の進入量が更に増加するのに伴い、留具２が支点部１２を中心としてダクト本体１６の側に更に傾き、本体部１０がナット３の側板材１８から外部に突出した端面のフック部側縁３０ｂで受け止められ、本体部１０が支点部１２の側からフック部１１の側に行くに従って側板材１８に徐々に近づく斜めの状態になり、フック部１１がダクトカバー１７の傾斜面２４と平行になって接触し、フック部１１がダクトカバー１７をダクト本体１６に更に押し付ける。
【００２１】
実施の形態に係るダクト用固定装置１によれば、図５に示すようにボルト５が工具を使用しない人力で締め付けられる場合でも、図６に示すようにボルト５が工具を用いた力により締め付けられる場合でも、ボルト５の雄ねじ部８が留具２の貫通孔１３の支点部側面２９に接触しているので、本体部１０が上方にせり上がることなく、留具２が支点部１２を中心としてダクト本体１６の側に傾いて、本体部１０がダクトカバー１７のフランジ部２５とダクト本体１６とから離れていて、フック部１１がダクトカバー１７をダクト本体１６に押し付けるので、留具２でダクトカバー１７をダクト本体１６に強く固定することができるうえ、ダクトカバー１７とダクト本体１６との間に隙間ができないようにダクトカバー１７とダクト本体１６とが接触するので、ダクト１５の防水性能が高くなる。
【００２２】
又、図６に示すように、ボルト５の雄ねじ部８が留具２の外部に出っ張ることがなく、ボルト５の頭部が留具２の外部に突出するだけであるので、人や物がボルト５に引っかかりにくくなる。又、図６に示すように、ボルト５の雄ねじ部８がナット３よりダクト１５の内部の側に突出しないように、ボルト５の長さを選定すれば、ダクト１５の内部、つまり、ダクト本体１６とダクトカバー１７とで囲まれた内部に収納される物品が雄ねじ部８から傷を受けることもない。
【符号の説明】
【００２３】
１はダクト用固定装置、２は留具、３はナット、４はワッシャ、５はボルト、６は雌ねじ部、７は貫通孔、８は雄ねじ部、９は頭部、１０は本体部、１１はフック部、１２は支点部、１３は貫通孔、１４は欠番、１５はダクト、１６はダクト本体、１７はダクトカバー、１８は側板材、１９は支持材、２０；２１はフランジ部、２２は欠番、２３は稜線部、２４は傾斜面、２５はフランジ部、２６は取付孔、２７は角部、２８は隙間、２９は支点部側面、３０ａは支点部側縁、３０ｂはフック部側縁、３１はダクト用固定装置、３２は留具、３３はボルト、３４；３５はナット、３６；３７はワッシャ、３８は本体部、３９はフック部、４０は折り返し部、４１は側壁部、４２は支点部、４３は長孔、４４は雄ねじ部、４５は頭部、４６はダクト本体、４７はダクトカバー、４８は側板材、４９は貫通孔、５０はフランジ部、Ｈは寸法、Ｌ１；Ｌ２は中心、θ１；θ２は挟角。
【図１】
0005895045.tif 000002
【図２】
0005895045.tif 000003
【図３】
0005895045.tif 000004
【図４】
0005895045.tif 000005
【図５】
0005895045.tif 000006
【図６】
0005895045.tif 000007
【図７】
0005895045.tif 000008